(57)【要約】【課題】ある情報処理装置の一方の電源部が故障した場合にも、各電力供給源からの供給電力を等しくまたはほぼ等しくすることができ、その結果、さらに別の情報処理装置の電源部が故障しても各情報処理装置の運用を継続できる多重化電力供給システム、情報処理装置および監視装置を提供することにある。【解決手段】それぞれ第１の電力供給源から電力を供給される第１の電源部と第２の電力供給源から電力を供給される第２の電源部と第１および第２の電源部から電力を供給される複数の電子回路からなる電子回路群と管理制御部とを含む複数の情報処理装置うちの第１の情報処理装置の第２の電源部が故障した場合に、所定の条件を満たす、複数の情報処理装置うちの第１の情報処理装置以外の、自身を含む情報処理装置の第１の電源部からの供給電力を停止または減少させるとともに、第１の電源部からの供給電力を停止または減少させることにより不足する電力を当該情報処理装置の第２の電源部に供給させる。【選択図】      図２
2015060333.tif 000002
【特許請求の範囲】
【請求項１】
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置に設けられ、各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、前記第１の情報処理装置の前記第２の電源部が故障したことを示す故障通知信号を前記装置監視制御信号線に送信し、
前記複数の情報処理装置のうちの前記第１の情報処理装置以外の情報処理装置のそれぞれの前記管理制御部は、
前記故障通知信号を受信し、自身を含む前記情報処理装置の前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自身を含む前記情報処理装置が前記電力調整対象装置である場合には、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理と、
自身を含む前記情報処理装置の前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
自身を含む前記情報処理装置の前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する
ことを特徴とする多重化電力供給システム。
【請求項２】
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
管理制御部と
を備え、
自情報処理装置の前記第２の電源部に故障が発生した場合には、
自情報処理装置の前記第１の電源部は、前記第２の電源部が前記故障の前に供給していた電力も加えた電力を供給し、
前記管理制御部は、自情報処理装置の前記第２の電源部が故障したことを示す故障通知信号を他の前記情報処理装置に送信し、
一方、
前記管理制御部が、前記複数の情報処理装置のうちの第１の情報処理装置から、該第１の情報処理装置の前記第２の電源部が故障したことを示す故障通知信号を受信した場合には、
前記管理制御部は、
前記管理テーブルに、それぞれ状態として通常動作状態であることを示している前記第１および第２の電源部稼働状態情報と対応して記憶されている装置名の情報処理装置であって、且つ、前記他の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自情報処理装置が前記電力調整対象装置であるときには、自情報処理装置の前記第１の電源部からの供給電力を停止または減少させるとともに、自情報処理装置の前記第１の電源部からの供給電力を停止または減少させることにより不足する電力を自情報処理装置の前記第２の電源部に供給させる供給電力調整処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する
ことを特徴とする情報処理装置。
【請求項３】
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置に設けられ、各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、
自身を含む前記情報処理装置の前記管理テーブルに、それぞれ状態として通常動作状態であることを示している前記第１および第２の電源部稼働状態情報と対応して記憶されている装置名の情報処理装置であって、且つ、自身を含む前記情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自身を含む前記情報処理装置の前記第２の電源部が故障したことを示す旨の情報と、前記電力調整対象装置として特定された前記情報処理装置の装置名とを含む故障通知信号を前記装置監視制御信号線に送信する送信処理と
を実行し、
前記複数の情報処理装置のうちの前記第１の情報処理装置以外の情報処理装置のそれぞれの前記管理制御部は、
前記故障通知信号を受信する受信処理と、
前記故障通知信号において自身を含む前記情報処理装置が前記電力調整対象装置として特定されている場合には、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理と、
自身を含む前記情報処理装置の前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
自身を含む前記情報処理装置の前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する
ことを特徴とする多重化電力供給システム。
【請求項４】
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
管理制御部と
を備え、
自情報処理装置の前記第２の電源部に故障が発生した場合には、
自情報処理装置の前記第１の電源部は、前記第２の電源部が前記故障の前に供給していた電力も加えた電力を供給し、
前記管理制御部は、
前記管理テーブルに、それぞれ状態として通常動作状態であることを示している前記第１および第２の電源部稼働状態情報と対応して記憶されている装置名の情報処理装置であって、且つ、自情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の装置名を含む故障通知信号を他の前記情報処理装置に送信する送信処理と、
を実行し、
一方、
前記管理制御部が、前記複数の情報処理装置のうちの第１の情報処理装置から、該第１の情報処理装置の前記第２の電源部が故障したことを示す旨の情報と、電力調整対象装置として特定された前記情報処理装置の装置名とを含む故障通知信号を受信した場合には、
前記管理制御部は、
前記故障通知信号において自情報処理装置が前記電力調整対象装置として特定されている場合には、自情報処理装置の前記第１の電源部からの供給電力を停止または減少させるとともに、自情報処理装置の前記第１の電源部からの供給電力を停止または減少させることにより不足する電力を自情報処理装置の前記第２の電源部に供給させる供給電力調整処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する
ことを特徴とする情報処理装置。
【請求項５】
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブル有する監視機器と、
前記複数の情報処理装置の前記管理制御部および前記監視機器を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、前記第１の情報処理装置の前記第２の電源部が故障したことを示す故障通知信号を前記装置監視制御信号線に送信し、
前記装置監視制御信号線を介して前記故障通知信号を受信した前記監視機器は、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の第１の電源部からの電力の供給を停止または減少させるようよう指示する情報を含む電力調整指示信号を送信する送信処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行し、
前記電力調整対象装置として特定された前記情報処理装置の前記管理制御部は、
前記電力調整指示信号の受信に応答して、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理
を実行する
ことを特徴とする多重化電力供給システム。
【請求項６】
第１の電力供給源から電力を供給される第１の電源部と、
第２の電力供給源から電力を供給される第２の電源部と、
前記第１および第２の電源部から電力を供給される複数の電子回路からなる電子回路群と、
管理制御部と
を備え、
前記第２の電源部に故障が発生した場合には、
前記第１の電源部は、前記第２の電源部が前記故障の前に供給していた電力も加えた電力を供給し、
前記管理制御部は、自情報処理装置の装置名と前記第２の電源部が故障したことを示す情報とを含む故障通知信号を監視機器に送信し、
一方、
前記管理制御部が、自情報処理装置の装置名と前記第１および第２の電源部うちの一方からの電力の供給を停止または減少させるよう指示する旨の情報とを含む電力調整指示信号を前記監視機器から受信した場合には、
前記管理制御部は、前記電力調整指示信号により指示された前記第１および第２の電源部の一方からの供給電力を停止または減少させるとともに、前記第１および第２の電源部の他方からの供給電力を停止または減少させることにより不足する電力を自情報処理装置の前記第２の電源部に供給させる
ことを特徴とする情報処理装置。
【請求項７】
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブル
を備え、
前記複数の情報処理装置のうちの第１の情報処理装置から、当該情報処理装置の前記第２の電源部が故障した旨の情報を含む故障通知信号を受信した場合には、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の第１の電源部からの電力の供給を停止または減少させるようよう指示する情報を含む電力調整指示信号を送信する送信処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と  を実行することを特徴とする監視機器。
【請求項８】
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、故障通知信号を前記装置監視制御信号線に送信し、
前記複数の情報処理装置のうちの前記第１の情報処理装置以外の情報処理装置のそれぞれの前記管理制御部は、前記装置監視制御信号線を介して前記故障通知信号を受信すると、自身を含む前記情報処理装置の装置名と、自身を含む前記情報処理装置の前記第１の電源部の状態を示す第１の電源部稼働状態情報と、自身を含む前記情報処理装置の前記第１の電源部から供給されている電力の値を示す第１の供給電力値と、自身を含む前記情報処理装置の前記第２の電源部の状態を示す第２の電源部稼働状態情報と、自身を含む前記情報処理装置の前記第２の電源部から供給されている電力の値を示す第２の供給電力値とを含む応答信号を前記第１の情報処理装置に前記装置監視制御信号線を介して送信し、
前記第１の情報処理装置の前記管理制御部は、
受信した前記応答信号に基づき、各前記情報処理装置の装置名と、該装置名で特定される前記情報処理装置の前記第１の電源部の状態を示す前記第１の電源部稼働状態情報と、該装置名で特定される前記情報処理装置の前記第１の電源部から供給されている電力の値を示す前記第１の供給電力値と、該装置名で特定される前記情報処理装置の前記第２の電源部の状態を示す前記第２の電源部稼働状態情報と、該装置名で特定される前記情報処理装置の前記第２の電源部から供給されている電力の値を示す前記第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルを作成する作成処理と、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の前記第１の電源部からの電力の供給を停止または減少させるよう指示する旨の情報を含む電力調整指示信号を前記装置監視制御信号線を介して送信する送信処理と
を実行し、
前記電力調整対象装置として特定された前記情報処理装置の前記管理制御部は、
受信した前記電力調整指示信号に基づいて、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる
ことを特徴とする多重化電力供給システム。
【請求項９】
第１の電力供給源から電力を供給される第１の電源部と、
第２の電力供給源から電力を供給される第２の電源部と、
該第１および第２の電源部から電力を供給される複数の電子回路からなる電子回路群と、管理制御部と
を備え、
前記第２の電源部に故障が発生した場合には、
前記第１の電源部は、前記第２の電源部が前記故障の前に供給していた電力も加えた電力を供給し、
前記管理制御部は、故障通知信号を他の情報処理装置に送信し、該故障通知信号に応答して該他の情報処理装置から送信されて来る応答信号に含まれる該他の情報処理装置の装置名と、該他の情報処理装置の前記第１の電源部の状態を示す第１の電源部稼働状態情報と、該他の情報処理装置の前記第１の電源部から供給されている電力の値を示す第１の供給電力値と、該他の情報処理装置の前記第２の電源部の状態を示す第２の電源部稼働状態情報と、該他の情報処理装置の前記第２の電源部から供給されている電力の値を示す第２の供給電力値とに基づき、各前記情報処理装置の装置名と、該装置名で特定される前記情報処理装置の前記第１の電源部の状態を示す前記第１の電源部稼働状態情報と、該装置名で特定される前記情報処理装置の前記第１の電源部から供給されている電力の値を示す前記第１の供給電力値と、該装置名で特定される前記情報処理装置の前記第２の電源部の状態を示す前記第２の電源部稼働状態情報と、該装置名で特定される前記情報処理装置の前記第２の電源部から供給されている電力の値を示す前記第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルを作成する作成処理と、
前記管理テーブルに、それぞれ状態として通常動作状態であることを示している前記第１および第２の電源部稼働状態情報と対応して記憶されている装置名の情報処理装置であって、且つ、自情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の前記第１の電源部からの電力の供給を停止または減少させるよう指示する旨の情報を含む電力調整指示信号を前記装置監視制御信号線を介して送信する送信処理と
を実行し、
一方、
前記管理制御部が、前記装置監視制御信号線を介して前記電力調整指示信号を受信した場合には、
前記管理制御部は、受信した前記電力調整指示信号に基づいて、前記第１の電源部からの供給電力を停止または減少させるとともに、前記第１の電源部からの供給電力を停止または減少させることにより不足する電力を前記第２の電源部に供給させる
ことを特徴とする情報処理装置。
【請求項１０】
第１の電力供給源から電力を供給される第１の電源部と、
第２の電力供給源から電力を供給される第２の電源部と、
前記第１および第２の電源部から電力を供給される複数の電子回路からなる電子回路群と
を備え、
他の情報処理装置に設けられ、前記第２の電力供給源から電力を供給される電源部が故障し、且つ、所定の条件を満たす場合には、前記第１の電源部からの供給電力を停止または減少させるとともに、前記第１の電源部からの供給電力を停止または減少させることにより不足する電力を前記第２の電源部に供給させる
ことを特徴とする情報処理装置。
【発明の詳細な説明】
【技術分野】
【０００１】
本発明は、多重化電力供給システム、情報処理装置および監視機器に関し、特に、それぞれ独立して電力を供給できる２つの電力供給源を使用する多重化電力供給システム、情報処理装置および監視機器に関する。
【背景技術】
【０００２】
複数の電力供給源から各電子装置（以下、単に「装置」とも言う。）に電力を供給できるように構成された多重化電力供給システムが知られている。係るシステムにおいては、例えば、一つの電力供給源が故障した場合、その故障した電力供給源が供給していた電力を、残りの正常な電力供給源が代わりに供給することにより、各電子装置は動作を継続することができる。
【０００３】
図６は、係る一般的な多重化電力供給システムの一例を示すブロック図である。
【０００４】
図６を参照すると、多重化電力供給システム１００は、それぞれ交流電力を独立に供給する第１の電力供給源１１４および第２の電力供給源１１５と、装置Ａ乃至Ｄと、それぞれ第１および第２の電力供給源１１４および１１５に接続されるとともに、それぞれ複数のコンセントを有するコンセントボックス１１０および１１１とから構成される。
【０００５】
装置Ａ乃至Ｄのそれぞれは、各種の電子回路からなる電子回路群と、該電子回路群に電力を供給する第１および第２の電源部とを備え、第１の電源部に接続された電源コードのプラグがコンセントボックス１１０のコンセント１１２に差し込まれ、さらに、第２の電源部に接続された電源コードのプラグがコンセントボックス１１１のコンセント１１３に差し込まれている。
【０００６】
例えば、装置Ａを例に挙げてその構成および動作を説明すると、装置Ａは、コンセントボックス１１０のコンセント１１２を介して第１の電力供給源１１４から交流電力が供給される第１の電源部１０２と、コンセントボックス１１１のコンセント１１３を介して第２の電力供給源１１５から交流電力が供給される第２の電源部１０３と、各種の電子回路からなる電子回路群１０４とから構成される。
【０００７】
第１および第２の電源部１０２および１０３は、第１および第２の電力供給源１１４および１１５からの交流電力を直流電力に変換し、該変換された直流電力を電子回路群１０４を構成する各種の電子回路に分配する。
【０００８】
例えば、装置Ａの消費電力が４８０Ｗ（ワット）であるとすると、第１および第２の電源部１０２および１０３は、それぞれその半分の電力である２４０Ｗずつを供給するように構成されている。
【０００９】
以上、装置Ａについて説明したが、他の装置Ｂ乃至Ｄも同様の構成を有し、同様の電力供給を行う。
【００１０】
また、図７は、一般的な多重化電力供給システム１００における装置Ａ乃至Ｄのそれぞれの第１および第２の電源部が正常に動作している場合における各電源部の供給電力値等が登録されたテーブルを示す図である。
【００１１】
該テーブルは、各装置の装置名が登録される装置名欄と、各装置の第１の電源部の稼働状態を示す第１の電源部稼働状態情報が登録される第１の電源部稼働状態欄と、第１の電源部から供給される電力の値を示す第１の供給電力値が登録される第１の供給電力値欄と、各装置の第２の電源部の稼働状態を示す第２の電源部稼働状態情報が登録される第２の電源部稼働状態欄と、第２の電源部から供給される電力の値を示す第２の供給電力値が登録される第２の供給電力値欄と、各装置の第１の供給電力値と当該装置の第２の供給電力値とを合計した装置別合計電力値（すなわち、装置別の定格消費電力値）が登録される消費電力値欄とを有する。
【００１２】
また、第１の供給電力値欄の最後の行は、各装置の第１の電源部から供給される供給電力値を合計した第１の合計電力値を示し、第２の供給電力値欄の最後の行は、各装置の第２の電源部から供給される供給電力値を合計した第２の合計電力値を示しており、図７に示すテーブルの例では、第１の合計電力値および第２の合計電力値の合計電力値がそれぞれ９３５Ｗであり、第１の電力供給源１１４および第２の電力供給源１１５からの電力供給はバランス（平衡）していることが判る。
【００１３】
また、関連技術として、特許文献１には、無停電装置（Ｕｎｉｎｔｅｒｒｕｐｔａｂｌｅ＿Ｐｏｗｅｒ＿Ｓｕｐｐｌｙ：以下、「ＵＰＳ」とも言う。）５０に、端末５４の２つの電源ユニットが接続され、端末５４の２つの電源ユニットのうちの一方が故障した場合に、当該故障した電源ユニットが供給するはずであった電力も、他方の電源ユニットから供給する電力供給管理システムが開示されている。
【００１４】
また、特許文献２には、それぞれ電源系統ＡおよびＢに接続された２つのコンセント装置を介して、それぞれ電源が二重化された二重化機器１０ｃおよび１０ｄに電力を供給する際に、コンセント装置毎の消費電流値を計測し、該計測された消費電流値を対応するコンセント装置の表示部に表示し、表示された消費電流値が所定の閾値（例えば、コンセント装置が有するブレーカ（配線用遮断器）の定格遮断電流値の半分の電流値）を超える場合には、一方の電源系統に生じた故障に起因して二重化機器全体がシステムダウンに至る可能性があることをアラーム報知部８により利用者に知らせる技術が開示されている。
【００１５】
また、特許文献３には、コンセントボックス５０に接続される複数の機器の定格電流値の合計値がコンセントボックス５０の定格電流値を超えないようにするため、各機器の電源ケーブルに取り付けられた無線タグに登録された当該機器の定格電流値の情報を予めセンサで読み取り、こうして読み取った定格電流値の合計値とコンセントボックスの定格電流値とを比較した結果、読み取った定格電流値の合計値が、コンセントボックスの定格電流値を超えていれば、電源コンセントへの電力供給を停止させ、その旨を利用者に報知する技術が開示されている。
【先行技術文献】
【特許文献】
【００１６】
【特許文献１】特開２００９−２５４１７６号公報
【特許文献２】特開２００７−２２１９７２号公報
【特許文献３】特開２００６−２６９２７４号公報
【発明の概要】
【発明が解決しようとする課題】
【００１７】
図６に示した多重化電力供給システム１００において、例えば、装置Ａの第２の電源部１０３が故障した場合には、図８に示すテーブルのように、第２の電源部１０３の供給電力は２４０Ｗから０Ｗになり、その不足した電力（２４０Ｗ）は装置Ａの第１の電源部１０２から供給されることになり、その結果、第１の電源部１０２が供給する電力は２４０Ｗから４８０Ｗへ増加するので、第１の電力供給源１１４および第２の電力供給源１１５から供給される電力はそれぞれ１１７５Ｗ（上記第１の合計電力値）および６９５Ｗ（上記第２の合計電力値）となり、第１の電力供給源１１４は、第２の電力供給源１１５より多くの電力を供給する必要があり、供給電力のアンバランスが生じる。
【００１８】
しかしながら、このような供給電力のアンバランスが生じたままの状態で装置Ａ乃至Ｄの使用を続けると以下のような問題点が生じる。
【００１９】
すなわち、コンセントボックス１１０および１１１に接続される各装置の消費電力が５００Ｗ程度であるという想定のもとに、そのような装置の一台の一方の電源部が故障した場合に備えて、第１および第２の電力供給源１１４および１１５のそれぞれは、例えば、最大で１３００Ｗ（＝２５０Ｗ×４台＋３００Ｗ（ここで、３００Ｗは一台の装置の片方の電源が故障した場合に備えた余力分））の電力を供給できる能力を持っている。こうして、上述したように、装置Ａの第２の電源部が故障しても、第１の電力供給源１１４は１１７５Ｗの電力を供給することができる。
【００２０】
しかしながら、装置Ａの第２の電源部が故障した後で、さらに、例えば、装置Ｂの第２の電源部が故障した場合には、図９のテーブルに示すように、装置Ｂの第１の電源部が供給する電力は２３０Ｗから４６０Ｗへ増加するので、第１の電力供給源１１４は電力１４０５Ｗの電力を供給しなければならなくなり、第１の電力供給源１１４の最大供給電力である１３００Ｗを超えてしまうので、結局、装置Ｂまたは全ての装置は必要な電力を得られずに運用の停止を余儀なくされてしまう。
【００２１】
尚、特許文献１には、２つの電源ユニットを有する複数の端末がＵＰＳに接続する技術については何ら記載されておらず、よって、上述したような供給電力のアンバランスやそれを解決する技術についても何ら開示されていない。
【００２２】
また、特許文献２には、ある二重化機器の一方の電源に故障が発生した場合における、電源系統ＡおよびＢからの供給電力のアンバランスやそれを解決する技術について何ら開示されていない。
【００２３】
また、特許文献３には、電源系統の二重化については何ら記載されていない。
【００２４】
本発明の目的は、上述した問題点を解決した多重化電力供給システム、情報処理装置および監視機器を提供することにある。
【課題を解決するための手段】
【００２５】
本発明の多重化電力供給システムは、
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置に設けられ、各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、前記第１の情報処理装置の前記第２の電源部が故障したことを示す故障通知信号を前記装置監視制御信号線に送信し、
前記複数の情報処理装置のうちの前記第１の情報処理装置以外の情報処理装置のそれぞれの前記管理制御部は、
前記故障通知信号を受信し、自身を含む前記情報処理装置の前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自身を含む前記情報処理装置が前記電力調整対象装置である場合には、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理と、
自身を含む前記情報処理装置の前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
自身を含む前記情報処理装置の前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する。
【００２６】
また、本発明の他の多重化電力供給システムは、
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置に設けられ、各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、
自身を含む前記情報処理装置の前記管理テーブルに、それぞれ状態として通常動作状態であることを示している前記第１および第２の電源部稼働状態情報と対応して記憶されている装置名の情報処理装置であって、且つ、自身を含む前記情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自身を含む前記情報処理装置の前記第２の電源部が故障したことを示す旨の情報と、前記電力調整対象装置として特定された前記情報処理装置の装置名とを含む故障通知信号を前記装置監視制御信号線に送信する送信処理と
を実行し、
前記複数の情報処理装置のうちの前記第１の情報処理装置以外の情報処理装置のそれぞれの前記管理制御部は、
前記故障通知信号を受信する受信処理と、
前記故障通知信号において自身を含む前記情報処理装置が前記電力調整対象装置として特定されている場合には、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理と、
自身を含む前記情報処理装置の前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
自身を含む前記情報処理装置の前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する。
【００２７】
また、本発明の他の多重化電力供給システムは、
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
各前記情報処理装置の装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブル有する監視機器と、
前記複数の情報処理装置の前記管理制御部および前記監視機器を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、前記第１の情報処理装置の前記第２の電源部が故障したことを示す故障通知信号を前記装置監視制御信号線に送信し、
前記装置監視制御信号線を介して前記故障通知信号を受信した前記監視機器は、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の第１の電源部からの電力の供給を停止または減少させるようよう指示する情報を含む電力調整指示信号を送信する送信処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行し、
前記電力調整対象装置として特定された前記情報処理装置の前記管理制御部は、
前記電力調整指示信号の受信に応答して、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる供給電力調整処理
を実行する。
【００２８】
また、本発明の他の多重化電力供給システムは、
それぞれ独立して電力を供給する第１および第２の電力供給源と、
それぞれ前記第１の電力供給源から電力を供給される第１の電源部と、前記第２の電力供給源から電力を供給される第２の電源部と、該第１および第２の電源部から電力を供給される複数の電子回路からなる電子回路群と、管理制御部とを含む複数の情報処理装置と、
前記複数の情報処理装置の前記管理制御部を相互に接続する装置監視制御信号線と
を備え、
前記複数の情報処理装置うちの第１の情報処理装置の前記第２の電源部に故障が発生した場合には、
前記第１の情報処理装置の前記第１の電源部は、前記第２の電源部が前記故障の前に供給していた電力も加えた電力を供給し、
前記第１の情報処理装置の前記管理制御部は、故障通知信号を前記装置監視制御信号線に送信し、
前記複数の情報処理装置のうちの前記第１の情報処理装置以外の情報処理装置のそれぞれの前記管理制御部は、前記装置監視制御信号線を介して前記故障通知信号を受信すると、自身を含む前記情報処理装置の装置名と、自身を含む前記情報処理装置の前記第１の電源部の状態を示す第１の電源部稼働状態情報と、自身を含む前記情報処理装置の前記第１の電源部から供給されている電力の値を示す第１の供給電力値と、自身を含む前記情報処理装置の前記第２の電源部の状態を示す第２の電源部稼働状態情報と、自身を含む前記情報処理装置の前記第２の電源部から供給されている電力の値を示す第２の供給電力値とを含む応答信号を前記第１の情報処理装置に前記装置監視制御信号線を介して送信し、
前記第１の情報処理装置の前記管理制御部は、
受信した前記応答信号に基づき、各前記情報処理装置の装置名と、該装置名で特定される前記情報処理装置の前記第１の電源部の状態を示す前記第１の電源部稼働状態情報と、該装置名で特定される前記情報処理装置の前記第１の電源部から供給されている電力の値を示す前記第１の供給電力値と、該装置名で特定される前記情報処理装置の前記第２の電源部の状態を示す前記第２の電源部稼働状態情報と、該装置名で特定される前記情報処理装置の前記第２の電源部から供給されている電力の値を示す前記第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルを作成する作成処理と、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の前記第１の電源部からの電力の供給を停止または減少させるよう指示する旨の情報を含む電力調整指示信号を前記装置監視制御信号線を介して送信する送信処理と
を実行し、
前記電力調整対象装置として特定された前記情報処理装置の前記管理制御部は、
受信した前記電力調整指示信号に基づいて、自身を含む前記情報処理装置の前記第１の電源部からの供給電力を停止または減少させるとともに、自身を含む前記情報処理装置の前記第１の電源部からの供給電力を停止または減少させることにより不足する電力を自身を含む前記情報処理装置の前記第２の電源部に供給させる。
【００２９】
さらに、本発明の情報処理装置は、
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
管理制御部と
を備え、
自情報処理装置の前記第２の電源部に故障が発生した場合には、
自情報処理装置の前記第１の電源部は、前記第２の電源部が前記故障の前に供給していた電力も加えた電力を供給し、
前記管理制御部は、自情報処理装置の前記第２の電源部が故障したことを示す故障通知信号を他の前記情報処理装置に送信し、
一方、
前記管理制御部が、前記複数の情報処理装置のうちの第１の情報処理装置から、該第１の情報処理装置の前記第２の電源部が故障したことを示す故障通知信号を受信した場合には、
前記管理制御部は、
前記管理テーブルに、それぞれ状態として通常動作状態であることを示している前記第１および第２の電源部稼働状態情報と対応して記憶されている装置名の情報処理装置であって、且つ、前記他の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
自情報処理装置が前記電力調整対象装置であるときには、自情報処理装置の前記第１の電源部からの供給電力を停止または減少させるとともに、自情報処理装置の前記第１の電源部からの供給電力を停止または減少させることにより不足する電力を自情報処理装置の前記第２の電源部に供給させる供給電力調整処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する。
【００３０】
また、本発明の他の情報処理装置は、
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルと、
管理制御部と
を備え、
自情報処理装置の前記第２の電源部に故障が発生した場合には、
自情報処理装置の前記第１の電源部は、前記第２の電源部が前記故障の前に供給していた電力も加えた電力を供給し、
前記管理制御部は、
前記管理テーブルに、それぞれ状態として通常動作状態であることを示している前記第１および第２の電源部稼働状態情報と対応して記憶されている装置名の情報処理装置であって、且つ、自情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置名とを含む故障通知信号を他の前記情報処理装置に送信する送信処理と、
を実行し、
一方、
前記管理制御部が、前記複数の情報処理装置のうちの第１の情報処理装置から、該第１の情報処理装置の前記第２の電源部が故障したことを示す旨の情報と、電力調整対象装置として特定された前記情報処理装置の装置名とを含む故障通知信号を受信した場合には、
前記管理制御部は、
前記故障通知信号において自情報処理装置が前記電力調整対象装置として特定されている場合には、自情報処理装置の前記第１の電源部からの供給電力を停止または減少させるとともに、自情報処理装置の前記第１の電源部からの供給電力を停止または減少させることにより不足する電力を自情報処理装置の前記第２の電源部に供給させる供給電力調整処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と
を実行する。
【００３１】
また、本発明の他の情報処理装置は、
第１の電力供給源から電力を供給される第１の電源部と、
第２の電力供給源から電力を供給される第２の電源部と、
前記第１および第２の電源部から電力を供給される複数の電子回路からなる電子回路群と、
管理制御部と
を備え、
前記第２の電源部に故障が発生した場合には、
前記第１の電源部は、前記第２の電源部が前記故障の前に供給していた電力も加えた電力を供給し、
前記管理制御部は、自情報処理装置の装置名と前記第２の電源部が故障したことを示す情報とを含む故障通知信号を監視機器に送信し、
一方、
前記管理制御部が、自情報処理装置の装置名と前記第１および第２の電源部うちの一方からの電力の供給を停止または減少させるよう指示する旨の情報とを含む電力調整指示信号を前記監視機器から受信した場合には、
前記管理制御部は、前記電力調整指示信号により指示された前記第１および第２の電源部の一方からの供給電力を停止または減少させるとともに、前記第１および第２の電源部の他方からの供給電力を停止または減少させることにより不足する電力を自情報処理装置の前記第２の電源部に供給させる。
【００３２】
また、本発明の他の情報処理装置は、
第１の電力供給源から電力を供給される第１の電源部と、
第２の電力供給源から電力を供給される第２の電源部と、
該第１および第２の電源部から電力を供給される複数の電子回路からなる電子回路群と、管理制御部と
を備え、
前記第２の電源部に故障が発生した場合には、
前記第１の電源部は、前記第２の電源部が前記故障の前に供給していた電力も加えた電力を供給し、
前記管理制御部は、故障通知信号を他の情報処理装置に送信し、該故障通知信号に応答して該他の情報処理装置から送信されて来る応答信号に含まれる該他の情報処理装置の装置名と、該他の情報処理装置の前記第１の電源部の状態を示す第１の電源部稼働状態情報と、該他の情報処理装置の前記第１の電源部から供給されている電力の値を示す第１の供給電力値と、該他の情報処理装置の前記第２の電源部の状態を示す第２の電源部稼働状態情報と、該他の情報処理装置の前記第２の電源部から供給されている電力の値を示す第２の供給電力値とに基づき、各前記情報処理装置の装置名と、該装置名で特定される前記情報処理装置の前記第１の電源部の状態を示す前記第１の電源部稼働状態情報と、該装置名で特定される前記情報処理装置の前記第１の電源部から供給されている電力の値を示す前記第１の供給電力値と、該装置名で特定される前記情報処理装置の前記第２の電源部の状態を示す前記第２の電源部稼働状態情報と、該装置名で特定される前記情報処理装置の前記第２の電源部から供給されている電力の値を示す前記第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブルを作成する作成処理と、
前記管理テーブルに、それぞれ状態として通常動作状態であることを示している前記第１および第２の電源部稼働状態情報と対応して記憶されている装置名の情報処理装置であって、且つ、自情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の前記第１の電源部からの電力の供給を停止または減少させるよう指示する旨の情報を含む電力調整指示信号を前記装置監視制御信号線を介して送信する送信処理と
を実行し、
一方、
前記管理制御部が、前記装置監視制御信号線を介して前記電力調整指示信号を受信した場合には、
前記管理制御部は、受信した前記電力調整指示信号に基づいて、前記第１の電源部からの供給電力を停止または減少させるとともに、前記第１の電源部からの供給電力を停止または減少させることにより不足する電力を前記第２の電源部に供給させる。
【００３３】
また、本発明の他の情報処理装置は、
第１の電力供給源から電力を供給される第１の電源部と、
第２の電力供給源から電力を供給される第２の電源部と、
前記第１および第２の電源部から電力を供給される複数の電子回路からなる電子回路群と
を備え、
他の情報処理装置に設けられ、前記第２の電力供給源から電力を供給される電源部が故障し、且つ、所定の条件を満たす場合には、前記第１の電源部からの供給電力を停止または減少させるとともに、前記第１の電源部からの供給電力を停止または減少させることにより不足する電力を前記第２の電源部に供給させる。
【００３４】
さらに、本発明の監視機器は、
それぞれ第１の電力供給源から電力を供給される第１の電源部と第２の電力供給源から電力を供給される第２の電源部と前記第１および第２の電源部から電力を供給される複数の電子回路からなる電子回路群とを有する複数の情報処理装置のそれぞれの装置名と、該装置名で特定される前記情報処理装置の前記第１の電源部の状態を示す第１の電源部稼働状態情報と、該装置名で特定される前記情報処理装置の前記第１の電源部から供給されている電力の値を示す第１の供給電力値と、該装置名で特定される前記情報処理装置の前記第２の電源部の状態を示す第２の電源部稼働状態情報と、該装置名で特定される前記情報処理装置の前記第２の電源部から供給されている電力の値を示す第２の供給電力値と、該装置名で特定される前記情報処理装置の前記第１の電源部に係る前記第１の供給電力値と同じ装置名で特定される前記情報処理装置の前記第２の電源部に係る前記第２の供給電力値とを加算した消費電力値とを対応付けて記憶した管理テーブル
を備え、
前記複数の情報処理装置のうちの第１の情報処理装置から、当該情報処理装置の前記第２の電源部が故障した旨の情報を含む故障通知信号を受信した場合には、
前記管理テーブルに、それぞれ状態として通常動作状態であることを示している前記第１および第２の電源部稼働状態情報と対応して記憶されている装置名の情報処理装置であって、且つ、前記第１の情報処理装置の装置名と対応して記憶された前記消費電力値に最も近い前記消費電力値と対応して記憶された装置名の情報処理装置を電力調整対象装置として特定するとともに、複数の情報処理装置が該電力調整対象装置として特定され得る場合には、所定の規則に従って、当該複数の情報処理装置のうちの一つを該電力調整対象装置として特定する対象装置特定処理と、
前記電力調整対象装置として特定された前記情報処理装置に、当該情報処理装置の第１の電源部からの電力の供給を停止または減少させるようよう指示する情報を含む電力調整指示信号を送信する送信処理と、
前記管理テーブルにおいて、前記第１の情報処理装置の装置名に対応して記憶された前記第１および第２の供給電力値をそれぞれ前記第１の情報処理装置の前記第１および第２の電源部が現在供給している電力の値に更新するとともに、前記第１の情報処理装置の装置名に対応して記憶された前記第２の電源部稼働状態情報を、故障状態であることを示す情報に更新する第１の更新処理と、
前記管理テーブルにおいて、前記電力調整対象装置として特定された前記情報処理装置の装置名に対応して記憶された前記第１および第２の供給電力値をそれぞれ前記電力調整対象装置として特定された前記情報処理装置の前記第１および第２の電源部が現在供給している電力の値に更新するとともに、前記電力調整対象装置として特定された前記情報処理装置の装置名に対応して記憶された前記第１の電源部稼働状態情報および前記第２の電源部稼働状態情報の少なくとも一方を、通常動作状態以外の状態で動作していることを示す情報に更新する第２の更新処理と  を実行する。
【発明の効果】
【００３５】
本発明には、ある情報処理装置の一方の電源部が故障した場合にも、第１の電力供給源からの供給電力と第２の電力供給源からの供給電力値を等しくまたはほぼ等しくすることができ、その結果、さらに、別の情報処理装置の電源部が故障しても各情報処理装置の運用を継続することができるという効果がある。
【図面の簡単な説明】
【００３６】
【図１】本発明の第１の実施形態を示すブロック図である。
【図２】本発明の第１の実施形態における装置Ｄの構成を示すブロック図である。
【図３】本発明の第１の実施形態における装置Ｄの第１の電源部を停止させて、第１および第２の合計電力値のバランスを概ねとる動作の説明に使用するテーブルを示す図である。
【図４】本発明の第１の実施形態における装置Ｄの第１の電源部に、停止（０Ｗ）よりは多い電力を供給して、第１および第２の合計電力値のバランスをとる動作の説明に使用するテーブルを示す図である。
【図５】本発明の第３の実施形態を示すブロック図である。
【図６】一般的な多重化電力供給システムの一例を示すブロック図である。
【図７】一般的な多重化電力供給システムにおける各装置のそれぞれの電源部が正常に動作している場合における各電源部の供給電力値等が登録されたテーブルを示す図である。
【図８】一般的な多重化電力供給システムにおいて、１台目の装置の電源部が故障した際に、各電源部の合計電力値がアンバランスになる様子の説明に使用するテーブルを示す図である。
【図９】一般的な多重化電力供給システムにおいて、１台目の装置と同じ電力供給源に接続される２台目の装置の電源部も故障した際に、各電源部の合計電力値が更にアンバランスになる様子の説明に使用するテーブルを示す図である。
【発明を実施するための形態】
【００３７】
次に、本発明の実施形態について図面を参照して詳細に説明する。
【００３８】
＜第１の実施形態＞
図１は、本発明の第１の実施形態を示すブロック図である。
【００３９】
図１を参照すると、本実施形態に係る多重化電力供給システム１０は、交流電力を供給する第１の電力供給源７５および第２の電力供給源８５と、それぞれ第１および第２の電力供給源７５および８５に接続されたコンセントボックス７および８と、コンセントボックス７に設けられた４つのコンセント７１乃至７４と、コンセントボックス８に設けられた４つのコンセント８１乃至８４と、コンセント７１およびコンセント８１を介して交流電力を受給して稼働する装置Ａと、コンセント７２およびコンセント８２を介して交流電力を受給して稼働する装置Ｂと、コンセント７３およびコンセント８３を介して交流電力を受給して稼働する装置Ｃと、コンセント７４およびコンセント８４を介して交流電力を受給して稼働する装置Ｄと、装置Ａ乃至Ｄから装置監視制御信号が伝搬する装置監視制御信号線１５とから構成される。
【００４０】
また、図２は、本発明の第１の実施形態における装置Ｄの構成を示すブロック図である。尚、説明は省略するが、装置Ａ乃至Ｃも、装置Ｄと同様の構成を有している。また、図２では図面の簡単化のために、装置Ａ乃至Ｃを省略しているが、実際には、図１に示すようにコンセントボックス７および８に接続されている。
【００４１】
図２に示すように、装置Ｄは、第１の電源部２（以下、単に「電源部２」とも言う。）および第２の電源部３（以下、単に「電源部３」とも言う。）と、各種の電子回路からなる電子回路群４と、管理制御部５と、電力合算部１３とから構成される。
【００４２】
電源部２および３は、それぞれ交流電力供給線７６および交流電力供給線８６を介してコンセントボックス７および８が有するコンセント７４および８４に接続されており、その結果、それぞれ第１のおよび第２の電力供給源７５および８５から交流電力が供給され、それぞれこうして供給された交流電力を直流電力に変換して直流電力供給線１４に供給している。こうして、直流電力供給線１４に供給された電源部２および３からの電力は電力合算部１３で合算され、合算された電力が電子回路群４および管理制御部５に供給される。なお、管理制御部５には、電源部２および３とは別の専用の電源部から電力を供給するようにしても良い。
【００４３】
管理制御部５は、それぞれ電源監視制御信号線１１および電源監視制御信号線１２を介して電源部２および３と接続され、また、装置監視制御信号線１５を介して他の装置Ａ乃至Ｃの管理制御部５と接続されている。装置監視制御信号線１５は、一般的に使用されているローカル・エリア・ネットワーク（ＬＡＮ）やバス等で実現され、通信方式としてはＣＳＭＡ／ＣＤ（「Ｃａｒｒｉｅｒ＿Ｓｅｎｓｅ＿Ｍｕｌｔｉｐｌｅ＿Ａｃｃｅｓｓ＿ｗｉｔｈ＿Ｃｏｌｌｉｓｉｏｎ＿Ｄｅｔｅｃｔｉｏｎ」の略）等が採用される。
【００４４】
管理制御部５は、電源監視制御信号線１１および１２を介して、電源部２および３の稼働状態（「動作中」および「故障」等）を監視するとともに、電源部２および３の動作状態の制御を行う。また、管理制御部５は、電源監視制御信号線１１および１２を介して、電源部２および３から電源部２および３が供給している電力の値（第１および第２の供給電力値）を受け取る。
【００４５】
また、管理制御部５は、記憶部（図示せず）に記憶された管理テーブル６を有している。
【００４６】
管理テーブル６は図７に示したような構造を有している。
【００４７】
図７に示したテーブルについては、本明細書の「背景技術」の項で詳細に説明したので説明は省略する。
【００４８】
次に、管理テーブル６がどのように作成されるかについて図７のテーブルを参照しながら説明する。
【００４９】
今、コンセントボックス７および８に装置Ａのみが接続されたものとする。
【００５０】
このとき、装置Ａの管理制御部５は、装置Ａの装置名「装置Ａ」と、装置Ａの第１の電源部２の稼働状態「動作中」および供給電力値「２４０Ｗ」と、装置Ａの第２の電源部３の稼働状態「動作中」および供給電力値「２４０Ｗ」とを情報として含む接続通知信号を装置監視制御信号線１５に送信し、他の装置からの応答信号を待つ。
【００５１】
所定の時間が経過しても応答信号を受信しない場合には、管理制御部５は、他の装置がコンセントボックス７および８には接続されていないと判断して、管理テーブル６の１行目に、図７に示したように、「装置Ａ」、「動作中」、「２４０Ｗ」、「動作中」、「２４０Ｗ」および「４８０Ｗ」と登録する。ここで、消費電力値欄には、第１電源部２の供給電力値（２４０Ｗ）と第２の電源部３の供給電力値（２４０Ｗ）との合計値（４８０Ｗ）が計算され登録される。ここで、「動作中」とは。電源部が通常動作状態であることを示している。
【００５２】
また、各装置の管理テーブル６には、自装置がコンセントボックス７および８に接続される前には、何も登録されていない。
【００５３】
次に、装置Ａがコンセントボックス７および８に接続されている状態で、装置Ｂが新たにコンセントボックス７および８に接続されたとする。
【００５４】
このとき、装置Ｂの管理制御部５は、装置Ｂの装置名「装置Ｂ」と、装置Ｂの第１の電源部２の稼働状態「動作中」および供給電力値「２３０Ｗ」と、装置Ｂの第２の電源部３の稼働状態「動作中」および供給電力値「２３０Ｗ」とを情報として含む接続通知信号を装置監視制御信号線１５に送信し、他の装置からの応答信号を待つ。
【００５５】
一方、装置Ａの管理制御部５は、装置Ｂから送信された接続通知信号を受信すると、該接続通知信号に含まれる情報「装置Ｂ」、「動作中」、「２３０Ｗ」、「動作中」および「２３０Ｗ」を自装置の管理テーブル６の２行目に、図７に示したように、登録する。また、消費電力値欄には、「４６０Ｗ」（＝２３０Ｗ＋２３０Ｗ）が登録される。この結果、装置Ａの管理テーブル６の１行目および２行目には、それぞれ装置Ａの情報および装置Ｂの情報が登録されることになる。
【００５６】
その後、装置Ａの管理制御部５は、送信元装置名「装置Ａ」と、装置Ａの管理テーブル６の内容とを情報として含む応答信号を装置監視制御信号線１５に送信する。
【００５７】
次に、装置Ｂの管理制御部５は、装置Ａから送信された応答信号を受信し、応答信号に含まれる装置Ａの管理テーブル６の内容を自装置の管理テーブル６に複製する。この結果、装置Ａおよび装置Ｂは同一内容の管理テーブル６を持つことになる。
【００５８】
さらに、その後、装置Ｃが新たにコンセントボックス７および８に接続されたとする。
【００５９】
このとき、装置Ｃの管理制御部５は、装置Ｃの装置名「装置Ｃ」と、装置Ｃの第１の電源部２の稼働状態「動作中」および供給電力値「２２０Ｗ」と、装置Ｃの第２の電源部３の稼働状態「動作中」および供給電力値「２２０Ｗ」とを情報として含む接続通知信号を装置監視制御信号線１５に送信し、他の装置からの応答信号を待つ。
【００６０】
装置ＡおよびＢの管理制御部５は、装置Ｃから送信された接続通知信号を受信すると、該接続通知信号に含まれる情報「装置Ｃ」、「動作中」、「２２０Ｗ」、「動作中」および「２２０Ｗ」を自装置の管理テーブル６の３行目に、図７に示したように、登録する。
【００６１】
また、消費電力値欄には、「４４０Ｗ」（＝２２０Ｗ＋２２０Ｗ）が登録される。この結果、装置ＡおよびＢの管理テーブル６の１行目、２行目および３行目には、それぞれ装置Ａの情報、装置Ｂの情報および装置Ｃの情報が登録されることになる。
【００６２】
その後、装置Ａの管理制御部５は、それぞれ送信元装置名「装置Ａ」と、装置Ａの管理テーブル６の内容とを情報として含む応答信号を、また、装置Ｂの管理制御部５は、それぞれ送信元装置名「装置Ｂ」と、装置Ｂの管理テーブル６の内容とを情報として含む応答信号を装置監視制御信号線１５に送信する。
【００６３】
これらの応答信号を受信した装置Ｃの管理制御部５は、いずれかの応答信号（例えば、最初に受信した応答信号）に含まれる、その応答信号を送信した装置の管理テーブル６の内容を自装置の管理テーブル６に複製する。この結果、装置Ａ乃至装置Ｃは同一内容の管理テーブル６を持つことになる。
【００６４】
次に、装置Ｄが接続された場合にも、同様の動作が行われ、装置Ａ乃至Ｄは同一内容の管理テーブル６を有することになる。図７はそのようにして最終的に作成された管理テーブル６の内容を示している。
【００６５】
以上のようにして各装置の管理テーブル６は作成される。
【００６６】
次に、ある装置の使用が終わり、当該装置をコンセントボックス７および８から切り離す場合の管理テーブル６の更新について説明する。
【００６７】
例えば、装置Ｂを切り離す場合、まず、利用者は電源ボタンの押下等により装置Ｂの動作の停止を指示する。このような動作の停止の指示に応答して、装置Ｂの管理制御部５は、自装置の装置名「装置Ｂ」を含む切断通知信号を装置監視制御信号線１５を介して他の装置Ａ、ＣおよびＤに送信した後、装置Ｂの動作を停止させる。
【００６８】
切断通知信号を受信した装置Ａ、ＣおよびＤの管理制御部５は、自装置の管理テーブル６を参照し、該切断通知信号に含まれる装置名「装置Ｂ」が装置名欄に登録された行を管理テーブル６から削除する。
【００６９】
以上、新たに装置が追加または削除される場合の管理テーブル６の作成・更新方法についての一例を説明したが、この方法に限定されず、他の方法を用いてもよい。
【００７０】
次に、装置Ａ乃至Ｄのうちの装置Ａの第２の電源部３が故障した場合の動作について説明する。
【００７１】
装置Ａの管理制御部５が、第２の電源部３で故障が発生して電力の供給が停止したことを検出すると、第１の電源部２に、第２の電源部３が供給していた電力（２４０Ｗ）も加えた電力（４８０Ｗ）を供給するように制御信号線１１を介して指示するとともに、装置Ａの管理テーブル６の装置名欄が「装置Ａ」である行の、第１の供給電力値欄を「４８０Ｗ」に、第２の電源部稼働状態欄を「故障」に、第２の供給電力値欄を「０Ｗ」に変更する（図３に示すテーブル参照）。
【００７２】
なお、第１の電源部２は、管理制御部５の指示を受けることなく、第２の電源部３からの電力の供給の停止に応答して、装置Ａの必要電力（４８０Ｗ）を自動的に供給するように動作するよう構成されることもできる。
【００７３】
その後、装置Ａの管理制御部５は、装置Ａの第２の電源部３が故障した旨の情報を含む故障通知信号を制御信号線１５を介して他の装置Ｂ乃至Ｄに送信する。
【００７４】
故障通知信号を受信した装置Ｂ乃至Ｄのそれぞれの管理制御部５は、装置Ａの第２の電源部３が故障したことを知り、管理テーブル６の装置名欄が「装置Ａ」である行の、第１の供給電力値欄を「４８０Ｗ」に、第２の電源部稼働状態欄を「故障」に、第２の供給電力値欄を「０Ｗ」に変更する（図３に示すテーブル参照）。
【００７５】
次に、装置Ｂ乃至Ｄのそれぞれの管理制御部５は、自身の管理テーブル６を参照し、各装置の「第１の電源部稼働状態」、「第２の電源部稼働状態」および「消費電力値」を確認し、「第１の電源部稼働状態」および「第２電源部稼働状態」が共に「動作中」で、且つ、「消費電力値」が、第２の電源部３が故障した装置Ａの消費電力値（４８０Ｗ）に最も近い装置を電力調整対象装置として特定し、自装置が電力調整対象装置であるか否かを判断する。図７を参照すると、本実施形態では、４８０Ｗに最も近い消費電力値（４９０Ｗ）の装置Ｄが電力調整対象装置であると特定される。
【００７６】
なお、電力調整対象装置となり得る装置が複数台ある場合には、所定の規則（例えば、管理テーブルのより上の行に登録されている装置）に従って、それらの装置のうちの一つの装置（例えば、管理テーブルのより上の行に登録されている装置）を電力調整対象装置として選定する。
【００７７】
上述した所定の規則としては、例えば、管理テーブル６のより上または下の行に登録されている装置を選定したり、装置Ａ乃至Ｄのそれぞれに付与された固有の装置識別番号も管理テーブル６に登録しておき、より小さいまたは大きい装置識別番号を付与された装置を選定したり等、種々の規則が考えられる。
【００７８】
自装置が電力調整対象装置であると判断した場合には、その装置の管理制御部５は、自装置の第１の電源部２（すなわち、故障した装置Ａの第２の電源部３に電力を供給していた第２の電力供給源８５とは異なる第１の電力供給源７５から電力を供給されている方の電源部）からの電力の供給を停止させ、その第１の電源部２が供給していた電力も加えた電力を自装置の第２の電源部に供給させる。
【００７９】
本実施形態では、装置Ｄが、電力調整対象装置であるため、装置Ｄの管理制御部５は、自装置の第１の電源部２からの電力の供給を停止させ、その第１の電源部２が供給していた電力（２４５Ｗ）も加えた電力（４９０Ｗ）を自装置の第２の電源部に供給させる。
【００８０】
さらに、装置Ａ乃至Ｄのそれぞれの管理制御部５は、装置Ｄが電力調整対象装置であることを自身で判断できるので、自身の管理テーブル６の装置名欄が「装置Ｄ」である行の、第１の電源部稼働状態欄を「停止」に、第１の電力供給値欄を「０Ｗ」に、第２の電力供給値欄を「４９０Ｗ」に変更するとともに、「合計電力値」の行の、第１の電力供給値欄を「９３０Ｗ」に、第２の電力供給値欄を「９４０Ｗ」に変更する（図３に示すテーブル参照）。
【００８１】
以上のような処理を行うことにより、図３のテーブルの合計電力値の行を見ると分かるように、各装置の第１の供給電力値（すなわち、第１の電力供給源７５からの供給電力値）（９３０Ｗ）と第２の供給電力値（すなわち、第２の電力供給源８５からの供給電力値）（９４０Ｗ）とは、ほぼ等しく、ほぼバランスがとれている。
【００８２】
なお、以上の説明では、電力調整対象装置である装置Ｄの第１の電源部２の電力の供給を停止する場合を例に挙げたが、第１の電源部２の電力の供給を停止するのではなく、図４のテーブルに示すように、第１の電源部２に５Ｗの電力を供給させ、第２の電源部３に４８５Ｗの電力を供給させるようにしてもよい。
【００８３】
この場合には、図４に示すテーブルの合計電力値の行を見ると分かるように、各装置の第１の供給電力値（すなわち、第１の電力供給源７５からの供給電力値）（９３５Ｗ）と第２の供給電力値（すなわち、第２の電力供給源８５からの供給電力値）（９３５Ｗ）とは、全く等しくなり、完全にバランスがとれることとなる。
【００８４】
ここで、装置Ｄの第１の電源部２が供給する電力の値（５Ｗ）は、図４示すように、例えば、消費電力値欄の合計電力値１８７０Ｗの半分の電力値（９３５Ｗ）から、装置Ｄ以外の装置の第１の供給電力値欄の合計値（４８０Ｗ＋２３０Ｗ＋２２０Ｗ＝９３０Ｗ）を差し引く（９３５Ｗ−９３０Ｗ＝５Ｗ）ことで求められる。
【００８５】
また、装置Ｄの第２の電源部が供給する電力の値（４８５Ｗ）は、装置Ｄの消費電力値（４９０Ｗ）から上で求めた第１の電源部２が供給する電力の値（５Ｗ）を差し引くことにより求められる。
【００８６】
その際に、図４に示すように、管理制御部５は、管理テーブル６の装置名欄が装置「Ｄ」である行の第１の電源部稼働状態欄（および／または第２の電源部稼働状態欄）を「動作中」から「選択中」等に変更すればよい。
【００８７】
以上、本実施形態には、ある装置の一方の電源部が故障した場合にも、第１の電力供給源７５からの供給電力と第２の電力供給源８５からの供給電力値を等しくまたはほぼ等しくすることができ、さらに、別の装置の電源部が故障しても各装置の運用を継続することができるという効果がある。
【００８８】
その理由は、ある装置の一方の電源部が故障した場合に、他の装置の２つの電源部の供給電力を調整することができるようにしたためである。
＜第２の実施形態＞
次に、本発明の第２の実施形態について図１乃至４および図７を参照して説明する。
【００８９】
第１の実施形態では、各装置の管理制御部５が、自装置が電力調整対象装置となるかを判断しているが、本実施形態では、以下で詳細に説明するように、電源部が故障した装置の管理制御部５が他のどの装置が電力調整対象装置となるか否かを判断する。
【００９０】
本実施形態の構成は、図１および２に示した第１の実施形態の構成と同じであるので、その説明は省略する。また、管理テーブル６を作成する作成方法、および、何れかの装置を追加または削除する際の管理テーブル６の更新方法も第１の実施形態と同じであるのでそれらの説明も省略する。
【００９１】
今、第１の実施形態と同様に装置Ａ乃至Ｄのうちの装置Ａの第２の電源部３が故障したとする。
【００９２】
装置Ａの管理制御部５は、第２の電源部３からの電力の供給が停止したことを検出すると、第２の電源部３で故障が発生したと判断する。そして、装置Ａの管理制御部５は、自装置の第１の電源部２に、第２の電源部３が供給していた電力（２４０Ｗ）も加えた電力（４８０Ｗ）を供給するように制御信号線１１を介して指示するとともに、装置Ａの管理テーブル６の装置名欄が「装置Ａ」である行の、第１の供給電力値欄を「４８０Ｗ」に、第２の電源部稼働状態欄を「故障」に、第２の供給電力値欄を「０Ｗ」に変更する（図３に示すテーブル参照）。
【００９３】
なお、第１の電源部２は、管理制御部５の指示を受けることなく、第２の電源部３からの電力の供給の停止に応答して、装置Ａの必要電力（４８０Ｗ）を自動的に供給するように動作するよう構成されることもできる。
【００９４】
次に、装置Ａの管理制御部５は、自身の管理テーブル６を参照し、各装置の「第１の電源部稼働状態」、「第２の電源部稼働状態」および「消費電力値」を確認し、「第１の電源部稼働状態」および「第２電源部稼働状態」が共に「動作中」で、且つ、「消費電力値」が、第２の電源部３が故障した自身の消費電力値（４８０Ｗ）に最も近い装置を電力調整対象装置として特定する。
【００９５】
図７を参照すると、本実施形態では、装置Ａの管理制御部５は、４８０Ｗに最も近い消費電力値（４９０Ｗ）の装置Ｄが電力調整対象装置であると特定する。
【００９６】
なお、電力調整対象装置となり得る装置が複数台ある場合の電力調整対象装置の特定方法は、第１の実施形態における特定方法と同じであるため、その説明は省略する。
【００９７】
こうして、装置Ａの管理制御部５は、装置Ｄが電力調整対象装置であると判断すると、自身の管理テーブル６の装置名欄が「装置Ｄ」である行の、第１の電源部稼働状態欄を「停止」に、第１の電力供給値欄を「０Ｗ」に、第２の電力供給値欄を「４９０Ｗ」に変更する（図３に示すテーブル参照）とともに、装置Ａの第２の電源部３が故障した旨の情報と、電力調整対象装置として装置Ｄが特定された旨の情報とを含む故障通知信号を制御信号線１５を介して他の装置Ｂ乃至Ｄに送信する。
【００９８】
該故障通知信号に応答して、電力調整対象装置として特定された装置Ｄの管理制御部５は、自装置の第１の電源部２からの電力の供給を停止させ、その第１の電源部２が供給していた電力（２４５Ｗ）も加えた電力（４９０Ｗ）を自装置の第２の電源部に供給させる。
【００９９】
さらに、上記故障通知信号を受信した装置Ｂ乃至Ｄのそれぞれの管理制御部５は、自身の管理テーブル６の装置名欄が「装置Ａ」である行の、第１の供給電力値欄を「４８０Ｗ」に、第２の電源部稼働状態欄を「故障」に、第２の供給電力値欄を「０Ｗ」に変更するとともに、装置名欄が「装置Ｄ」である行の、第１の電源部稼働状態欄を「停止」に、第１の電力供給値欄を「０Ｗ」に、第２の電力供給値欄を「４９０Ｗ」に変更し、さらに、「合計電力値」の行の、第１の電力供給値欄を「９３０Ｗ」に、第２の電力供給値欄を「９４０Ｗ」に変更する（図３に示すテーブル参照）。
【０１００】
以上のような処理を行うことにより、図３のテーブルの合計電力値の行を見ると分かるように、各装置の第１の供給電力値（すなわち、第１の電力供給源７５からの供給電力値）（９３０Ｗ）と第２の供給電力値（すなわち、第２の電力供給源８５からの供給電力値）（９４０Ｗ）とは、ほぼ等しく、ほぼバランスがとれている。
【０１０１】
なお、以上の説明では、電力調整対象装置である装置Ｄの第１の電源部２の電力の供給を停止する場合を例に挙げたが、第１の電源部２の電力の供給を停止するのではなく、図４のテーブルに示すように、第１の電源部２に５Ｗの電力を供給させ、第２の電源部３に４８５Ｗの電力を供給させるようにしてもよい。
【０１０２】
この場合には、図４に示すテーブルの合計電力値の行を見ると分かるように、各装置の第１の供給電力値（すなわち、第１の電力供給源７５からの供給電力値）（９３５Ｗ）と第２の供給電力値（すなわち、第２の電力供給源８５からの供給電力値）（９３５Ｗ）とは、全く等しくなり、完全にバランスがとれることとなる。
【０１０３】
ここで、装置Ｄの第１の電源部２が供給する電力の値（５Ｗ）は、図４示すように、例えば、消費電力値欄の合計電力値１８７０Ｗの半分の電力値（９３５Ｗ）から、装置Ｄ以外の装置の第１の供給電力値欄の合計値（４８０Ｗ＋２３０Ｗ＋２２０Ｗ＝９３０Ｗ）を差し引く（９３５Ｗ−９３０Ｗ＝５Ｗ）ことで求められる。
【０１０４】
また、装置Ｄの第２の電源部が供給する電力の値（４８５Ｗ）は、装置Ｄの消費電力値（４９０Ｗ）から上で求めた第１の電源部２が供給する電力の値（５Ｗ）を差し引くことにより求められる。
【０１０５】
その際に、図４に示すように、管理制御部５は、管理テーブル６の装置名欄が装置「Ｄ」である行の第１の電源部稼働状態欄（および／または第２の電源部稼働状態欄）を「動作中」から「選択中」等に変更すればよい。
【０１０６】
以上、本実施形態には、第１の実施形態で説明した効果と同様の効果がある。
【０１０７】
その理由も、第１の実施形態で説明した理由と同様である。
＜第３の実施形態＞
次に、本発明の第３の実施形態について図５を参照して説明する。
【０１０８】
図５は、本発明の第３の実施形態を示すブロック図である。
【０１０９】
図５を参照すると、本実施形態に係る多重化電力供給システム５０は、図１に示した多重化電力供給システム１０に、監視機器９を加えた構成を有し、監視機器９は装置監視制御信号線１５介して装置Ａ乃至Ｄと接続されるとともに、記憶部（図示せず）に記憶された管理テーブル１６を備える。
【０１１０】
また、本実施形態における装置Ａ乃至Ｄのそれぞれは、図２に示した装置Ｄの構成と同様の構成を有するが、管理制御部５が管理テーブル６を持たない点が、第１および第２の実施形態と異なる。
【０１１１】
まず、監視機器９における管理テーブル１６の作成方法について図７を用いて説明する。
【０１１２】
今、監視機器９は起動しており、装置Ａ乃至Ｄのいずれもコンセントボックス７および８に接続されておらず、そのため、管理テーブル１６には何も登録されていないものとする。
【０１１３】
その状態でコンセントボックス７および８に装置Ａのみが接続されると、装置Ａの管理制御部５は、装置Ａの装置名「装置Ａ」と、装置Ａの第１の電源部２の稼働状態「動作中」および供給電力値「２４０Ｗ」と、装置Ａの第２の電源部３の稼働状態「動作中」および供給電力値「２４０Ｗ」とを情報として含む接続通知信号を装置監視制御信号線１５に送信する。
【０１１４】
監視機器９は、装置監視制御信号線１５を介して装置Ａからの接続通知信号を受信し、該接続通知信号に含まれる情報に基づき、図７に示す管理テーブル１６の１行目に、「装置Ａ」、「動作中」、「２４０Ｗ」、「動作中」、「２４０Ｗ」および「４８０Ｗ」を登録する。ここで、消費電力値欄には、第１の電源部２の供給電力値（２４０Ｗ）と第２の電源部３の供給電力値（２４０Ｗ）との合計値（４８０Ｗ）が監視機器９によって計算され登録される。
【０１１５】
こうして、装置Ａがコンセントボックス７および８に接続されている状態で、装置Ｂが新たにコンセントボックス７および８に接続された場合には、装置Ｂの管理制御部５は、装置名「装置Ｂ」と、装置Ｂの第１の電源部２の稼働状態「動作中」および供給電力値「２３０Ｗ」と、装置Ｂの第２の電源部３の稼働状態「動作中」および供給電力値「２３０Ｗ」とを情報として含む接続通知信号を装置監視制御信号線１５に送信し、監視機器９は、装置監視制御信号線１５を介して装置Ｂから受信した接続通知信号に含まれる情報に基づき、図７に示した管理テーブル１６の２行目に、「装置Ｂ」、「動作中」、「２３０Ｗ」、「動作中」、「２３０Ｗ」および「４６０Ｗ」を登録する。
【０１１６】
以降、装置Ｃおよび装置Ｄが接続される場合も、上述したのと同様の方法で、監視機器９は管理テーブル１６に同様の情報を登録する。図７はそのようにして最終的に作成された管理テーブル１６の内容を示している。
【０１１７】
次に、ある装置の使用が終わり、当該装置をコンセントボックス７および８から切り離す場合の管理テーブル１６の更新について説明する。
【０１１８】
例えば、装置Ｂを切り離す場合、まず、利用者は電源ボタンの押下等により装置Ｂの動作の停止を指示する。このような動作の停止の指示に応答して、装置Ｂの管理制御部５は、自装置の装置名「装置Ｂ」を含む切断通知信号を装置監視制御信号線１５に送信した後、装置Ｂの動作を停止させる。
【０１１９】
切断通知信号を受信した監視機器９は、管理テーブル１６を参照し、該切断通知信号に含まれる装置名「装置Ｂ」が装置名欄に登録された行を管理テーブル１６から削除する。
【０１２０】
以上のようにして、新たに装置が追加または削除される場合に、管理テーブル１６が更新される。
【０１２１】
次に、装置Ａ乃至Ｄのうちの装置Ａの第２の電源部３が故障した場合の動作について説明する。
【０１２２】
装置Ａの管理制御部５は、第２の電源部３で故障が発生して電力の供給が停止したことを検出すると、装置Ａの第２の電源部３が故障した旨の情報を含む故障通知信号を制御信号線１５に送信する。
【０１２３】
さらに、装置Ａの管理制御部５は、第１の電源部２に、第２の電源部３が供給していた電力（２４０Ｗ）も加えた電力（４８０Ｗ）を供給するように制御信号線１１を介して指示する。
【０１２４】
なお、装置Ａの第１の電源部２は、装置Ａの管理制御部５の指示を受けることなく、第２の電源部３からの電力の供給の停止に応答して、装置Ａの必要電力（４８０Ｗ）を自動的に供給するように動作するよう構成されることもできる。
【０１２５】
一方、制御信号線１５を介して装置Ａから故障通知信号を受信した監視機器９は、故障通知信号に含まれる情報に基づき、管理テーブル１６の装置名欄が「装置Ａ」である行の、第１の供給電力値欄を「４８０Ｗ」に、第２の電源部稼働状態欄を「故障」に、第２の供給電力値欄を「０Ｗ」に変更する（図３に示すテーブル参照）。
【０１２６】
次に、監視機器９は、管理テーブル１６を参照し、各装置の「第１の電源部稼働状態」、「第２の電源部稼働状態」および「消費電力値」を確認し、「第１の電源部稼働状態」および「第２電源部稼働状態」が共に「動作中」で、且つ、「消費電力値」が、第２の電源部３が故障した装置Ａの消費電力値（４８０Ｗ）に最も近い装置を電力調整対象装置として特定する。
【０１２７】
図７を参照すると、本実施形態では、４８０Ｗに最も近い消費電力値（４９０Ｗ）の装置Ｄが電力調整対象装置であると特定される。
【０１２８】
なお、電力調整対象装置となり得る装置が複数台ある場合の電力調整対象装置の特定方法は、第１の実施形態における特定方法と同じであるため、その説明は省略する。
【０１２９】
こうして、監視機器９は、装置Ｄが電力調整対象装置であると判断すると、管理テーブル１６の装置名欄が「装置Ｄ」である行の、第１の電源部稼働状態欄を「停止」に、第１の電力供給値欄を「０Ｗ」に、第２の電力供給値欄を「４９０Ｗ」に、「合計電力値」の行の、第１の電力供給値欄を「９３０Ｗ」に、第２の電力供給値欄を「９４０Ｗ」に変更する（図３に示すテーブル参照）とともに、電力調整対象装置として特定された装置Ｄの第１の電源部２からの電力の供給を停止させ、その第１の電源部２が供給していた電力（２４５Ｗ）も加えた電力（４９０Ｗ）を装置Ｄの第２の電源部に供給させるよう指示する情報を含む電力調整指示信号を制御信号線１５を介して装置Ｄに送信する。
【０１３０】
電力調整指示信号を受信した装置Ｄの管理制御部５は、自装置の第１の電源部２からの電力の供給を停止させ、その第１の電源部２が供給していた電力（２４５Ｗ）も加えた電力（４９０Ｗ）を自装置の第２の電源部に供給させる。
【０１３１】
以上のような処理を行うことにより、図３のテーブルの合計電力値の行を見ると分かるように、各装置の第１の供給電力値（すなわち、第１の電力供給源７５からの供給電力値）（９３０Ｗ）と第２の供給電力値（すなわち、第２の電力供給源８５からの供給電力値）（９４０Ｗ）とは、ほぼ等しく、ほぼバランスがとれている。
【０１３２】
なお、以上の説明では、電力調整対象装置である装置Ｄの第１の電源部２の電力の供給を停止する場合を例に挙げたが、第１の電源部２の電力の供給を停止するのではなく、図４のテーブルに示すように、第１の電源部２に５Ｗの電力を供給させ、第２の電源部３に４８５Ｗの電力を供給させるようにしてもよい。
【０１３３】
この場合には、図４に示すテーブルの合計電力値の行を見ると分かるように、各装置の第１の供給電力値（すなわち、第１の電力供給源７５からの供給電力値）（９３５Ｗ）と第２の供給電力値（すなわち、第２の電力供給源８５からの供給電力値）（９３５Ｗ）とは、全く等しくなり、完全にバランスがとれることとなる。
【０１３４】
ここで、装置Ｄの第１の電源部２が供給する電力の値（５Ｗ）は、図４示すように、例えば、消費電力値欄の合計電力値１８７０Ｗの半分の電力値（９３５Ｗ）から、装置Ｄ以外の装置の第１の供給電力値欄の合計値（４８０Ｗ＋２３０Ｗ＋２２０Ｗ＝９３０Ｗ）を差し引く（９３５Ｗ−９３０Ｗ＝５Ｗ）ことで求められる。
【０１３５】
また、装置Ｄの第２の電源部が供給する電力の値（４８５Ｗ）は、装置Ｄの消費電力値（４９０Ｗ）から上で求めた第１の電源部２が供給する電力の値（５Ｗ）を差し引くことにより求められる。
【０１３６】
その際に、図４に示すように、監視機器９は、管理テーブル１６の装置名欄が装置「Ｄ」である行の第１の電源部稼働状態欄（および／または第２の電源部稼働状態欄）を「動作中」から「選択中」等に変更すればよい。
【０１３７】
以上、本実施形態には、第１の実施形態で説明した効果と同様の効果がある。
【０１３８】
その理由も、第１の実施形態で説明した理由と同様である。
【０１３９】
さらに、本実施形態には、第１および第２の実施形態と比較して、各装置の管理制御部５の動作および構成を簡単化できるという効果ある。
【０１４０】
その理由は、各装置の管理制御部５に管理テーブルを設ける必要がなく、その結果、各装置において管理テーブルの更新等の処理が不要となるからである。
＜第４の実施形態＞
次に、本発明の第４の実施形態について説明する。
【０１４１】
本実施形態に係る多重化電力供給システムは、監視機器９を備えていない点および装置Ａ乃至Ｄのそれぞれの管理制御部５が一時的記憶部を備えている点が図５に示す第３の実施形態に係る多重化電力供給システム５０と異なる。
【０１４２】
今、装置Ａ乃至Ｄのうちの装置Ａの第２の電源部３が故障したとする。
【０１４３】
装置Ａの管理制御部５は、自装置の第２の電源部３からの電力の供給が停止したことを検出すると、第２の電源部３で故障が発生したと判断する。そして、装置Ａの管理制御部５は、自装置の第１の電源部２に、自装置の第２の電源部３が供給していた電力（２４０Ｗ）も加えた電力（４８０Ｗ）を供給するように電源監視制御信号線１１を介して指示するとともに、装置Ａで電源部の故障が発生した旨の情報を含む故障通知信号を制御信号線１５に送信する。
【０１４４】
なお、装置Ａの第１の電源部２は、管理制御部５の指示を受けることなく、第２の電源部３からの電力の供給の停止に応答して、装置Ａの必要電力（４８０Ｗ）を自動的に供給するように動作するよう構成されることもできる。
【０１４５】
制御信号線１５を介して装置Ａから故障通知信号を受信した他の装置Ｂ乃至Ｃのぞれぞれの管理制御部５は、自装置の、「装置名」、第１の電源部２の状態である「第１の電源部稼働状態」（「動作中」、「停止」または「故障」）、第１の電源部２の供給電力の値である「第１の供給電力値」、第２の電源部３の状態である「第２の電源部稼働状態」（「動作中」、「停止」または「故障」）、第２の電源部３の供給電力の値である「第２の供給電力値」および第１の供給電力値と第２の供給電力値との合計値である「消費電力値」を情報として含む応答信号を制御信号線１５に送信する。
【０１４６】
次に、装置Ａの管理制御部５は、各装置からの応答信号に含まれる情報を装置別に自身の一時的記憶部に記憶する。すなわち、一時的記憶部には、第１乃至第３の実施形態における管理テーブル６または１６のようなテーブルが一時的に作成される。
【０１４７】
さらに、装置Ａの管理制御部５は、一時的記憶部に作成されたテーブルを参照し、各装置の「第１の電源部稼働状態」、「第２の電源部稼働状態」および「消費電力値」を確認し、「第１の電源部稼働状態」および「第２電源部稼働状態」が共に「動作中」で、且つ、「消費電力値」が、第２の電源部３が故障した装置Ａの消費電力値（４８０Ｗ）に最も近い装置を電力調整対象装置として特定する判断を行う。
【０１４８】
なお、電力調整対象装置となり得る装置が複数台ある場合に電力調整対象装置を特定する方法は、第１の実施形態における特定方法と同じであるため、その説明は省略する。
【０１４９】
その後、装置Ａの管理制御部５は、電力調整対象装置として特定した装置に、当該装置の第１の電源部２からの電力の供給を停止させ、その第１の電源部２が供給していた電力も加えた電力を当該装置の第２の電源部に供給させるよう指示する情報を含む電力調整指示信号を制御信号線１５を介して送信する。
【０１５０】
該電力調整指示信号に応答して、当該装置の管理制御部５は、第１の電源部２からの電力の供給を停止させ、その第１の電源部２が供給していた電力も加えた電力を当該装置の第２の電源部に供給させる。
【０１５１】
なお、以上の説明では、電力調整対象装置の第１の電源部２の電力の供給を停止する場合を例に挙げたが、第１の電源部２の電力の供給を停止させた場合に、第１の電力供給源７５からの供給電力値と第２の電力供給源８５からの供給電力値とが等しくならないときには、両者が等しくなるように、第１の電源部２からも電力を供給させるとともに、その供給電力分だけ第２の電源部３から供給される電力を減少させるようにしてもよい。
【０１５２】
以上、本実施形態には、第１の実施形態で説明した効果と同様の効果を得ることができる。
【０１５３】
その理由は、第１の実施形態で説明した理由と同様である。
【０１５４】
さらに、本実施形態には、第１および第２の実施形態と比較して、各装置の管理制御部５の動作および構成を簡単化できるという効果ある。
【０１５５】
その理由は、各装置の管理制御部５に管理テーブルを設ける必要がなく、その結果、各装置において管理テーブルの更新等の処理が不要となるからである。
【符号の説明】
【０１５６】
２    第１の電源部
３    第２の電源部
４    電子回路群
５    管理制御部
６    管理テーブル
７    コンセントボックス
８    コンセントボックス
９    監視機器
１０    多重化電力供給システム
１１    電源監視制御信号線
１２    電源監視制御信号線
１３    電力合算部
１４    直流電力供給線
１５    装置監視制御信号線
１６    管理テーブル
５０    多重化電力供給システム
７１    コンセント
７２    コンセント
７３    コンセント
７４    コンセント
７５    第１の電力供給源
７６    交流電力供給線
８１    コンセント
８２    コンセント
８３    コンセント
８４    コンセント
８５    第２の電力供給源
８６    交流電力供給線
１００    多重化電力供給システム
１０２    第１の電源部
１０３    第２の電源部
１０４    電子回路群
１１０    コンセントボックス
１１１    コンセントボックス
１１２    コンセント
１１３    コンセント
１１４    第１の電力供給源
１１５    第２の電力供給源
【図１】
2015060333.tif 000003
【図２】
2015060333.tif 000004
【図３】
2015060333.tif 000005
【図４】
2015060333.tif 000006
【図５】
2015060333.tif 000007
【図６】
2015060333.tif 000008
【図７】
2015060333.tif 000009
【図８】
2015060333.tif 000010
【図９】
2015060333.tif 000011